(57)【特許請求の範囲】
【請求項１】
筒状をなす雌部材と、
頭部とこの雌部材内に移動可能に差し入れられた差し入れ部とを有する雄部材と、
前記雄部材を前記雌部材内から突き出させる向きに付勢する付勢手段とを有すると共に、
前記付勢手段の付勢に抗した前記雄部材の押し込み位置で紐が挿通可能なように相互に連通される当該紐の通し穴を当該雄部材の差し入れ部と前記雌部材の側部とに有しており、
前記押し込み位置で相互に連通される前記通し穴に差し通された紐を、前記付勢手段の付勢により前記雄部材の通し穴の穴縁部と前記雌部材の通し穴の穴縁部とで挟み付けて、当該紐に留め付けられる紐留め具であって、
この紐留め具における雌部材と雄部材とが、インサート体部分と、
このインサート体部分をインサートとして、少なくとも、前記雌部材におけるインサート体部分の外面部の全部又は一部と、前記雄部材におけるインサート体部分の頭部上面と頭部縁部と頭部下面とに形成される表面成形部分とを有しており、
前記表面成形部分が、ゴム若しくはゴム状弾性を有するプラスチック材料又はゴム若しくはゴム状弾性を有し、かつ透光性を有するプラスチック材料により構成してあることを特徴とする紐留め具。
【請求項２】
インサート体部分の外面部に突部が形成してあると共に、この突部の突き出し端面と表面成形部分の表面とが略同面をなすように、当該外面部に当該表面成形部分が形成してあることを特徴とする請求項１記載の紐留め具。
【発明の詳細な説明】
【０００１】
【発明の属する技術分野】
この発明は、雄部材の押し込み位置で留め付けの対象となる紐を差し通し可能なように相互に連通される紐の通し穴をそれぞれ有する、当該雄部材及びこの雄部材が移動可能に差し入れられた雌部材と、前記各通し穴に差し通された紐を当該各通し穴を前記雄部材を前記雌部材から突き出す向きに付勢させることによりズレさせてこの各通し穴の穴縁部で挟み付けさせるようにする当該雄部材の付勢手段とを備えた紐留め具の改良に関する。
【０００２】
【従来の技術】
種々の衣服の開口部などの絞り紐や、種々の袋物の開口部などの絞り紐などの紐状体に対し、適宜の位置にフリーに留め付けることができ、かかる留め付けによりかかる開口部などを巡る前記絞り紐の寸法を調整して、かかる開口部などを拡げた状態、あるいは、狭めた状態を維持できるようにするなどの用途で用いられる紐留め具として、雄部材の押し込み位置で留め付けの対象となる紐を差し通し可能なように相互に連通される紐の通し穴をそれぞれ有する、当該雄部材及びこの雄部材が移動可能に差し入れられた雌部材と、前記各通し穴に差し通された紐を当該各通し穴をズレさせてこの各通し穴の穴縁部で挟み付けさせるようにする前記雄部材の付勢手段とを備えた紐留め具が用いられている。
【０００３】
【発明が解決しようとする課題】
かかる紐留め具は、前記衣服などの絞り紐など身の回り品に頻繁に使用されるものであること、また、前記留め付け、あるいは当該留め付けの解除のための前記雄部材の押圧操作がなされる都度、表面部に指などが触れるものであることから、かかる紐留め具にあっては意匠的効果を高めることと、操作時などにおける手触り感をソフトなものとすることとが特に要請されるところである。
【０００４】
前記意匠的効果を満足させる観点からは、紐留め具の外面に印刷などにより模様などを施すことが考えられるが、単純にかかる外面に模様などを施しただけでは、紐留め具の使用にあたりかかる模様などのかすれや、はがれ落ちを生じさせ易い。
【０００５】
また、操作時などにおける手触り感をソフトにする観点からは、紐留め具全体をゴム状の弾性を備えた素材により構成することが考えられるが、単純にこうした素材により紐留め具を構成した場合、紐留め具の剛性を確保し難く、特に、前記雄部材の通し穴の穴縁部と雌部材の通し穴の穴縁部とにより差し通された紐を十分に挟み付けることができなくなることが予想される。
【０００６】
また、前記各観点を満足させるべく、前記雄部材および雌部材の外面部に例えばゴム状弾性を備えたカバー体などを被装することも考えられるが、かかる被装作業は必ずしも容易なものとはいえず、しかも、前記外面部に対するカバー体の組み付け状態を経時的に確保し難く、こうした手法も採用し難いものであった。
【０００７】
そこでこの発明は、この種の紐留め具において、第一に、紐留め具の使用に支障を来さない態様で、模様などを紐留め具の外面側に経時的に変化しないように形成して、紐留め具の外観性を向上させることを目的とする。また、第二に、紐留め具の操作時における手触り感をソフトにするような構成を、紐留め具の外面側に容易かつ確実に施せるようにすることを目的とする。
【０００８】
【課題を解決するための手段】
前記目的を達成するために、請求項１記載の発明にあっては、紐留め具が以下の（１）〜（８）の構成を備えたものとした。
（１）筒状をなす雌部材と、
（２）頭部とこの雌部材内に移動可能に差し入れられた差し入れ部とを有する雄部材と、
（３）前記雄部材を前記雌部材内から突き出させる向きに付勢する付勢手段とを有すると共に、
（４）前記付勢手段の付勢に抗した前記雄部材の押し込み位置で紐が挿通可能なように相互に連通される当該紐の通し穴を当該雄部材の差し入れ部と前記雌部材の側部とに有しており、
（５）前記押し込み位置で相互に連通される前記通し穴に差し通された紐を、前記付勢手段の付勢により前記雄部材の通し穴の穴縁部と前記雌部材の通し穴の穴縁部とで挟み付けて、当該紐に留め付けられる紐留め具であって、
（６）この紐留め具における雌部材と雄部材とが、インサート体部分と、
（７）このインサート体部分をインサートとして、少なくとも、前記雌部材におけるインサート体部分の外面部の全部又は一部と、前記雄部材におけるインサート体部分の頭部上面と頭部縁部と頭部下面とに形成される表面成形部分とを有しており、
（８）前記表面成形部分が、ゴム若しくはゴム状弾性を有するプラスチック材料又はゴム若しくはゴム状弾性を有し、かつ透光性を有するプラスチック材料により構成してある。
【０００９】
かかる構成によれば、前記雄部材の差し入れ部に設けられた通し穴と、前記雌部材の通し穴とを連通させる当該雄部材の押し込み位置において、かかる連通し合わせられた各通し穴に紐を差し通した後、前記付勢手段の付勢により雄部材を前記突き出させる向きに移動させて、このように移動される雄部材の通し穴の穴縁部と雌部材の通し穴の穴縁部とで前記紐を挟み付けることができ、この挟み付けにより当該紐の適宜の位置にかかる紐留め具を留め付けることができる。
【００１０】
前記付勢手段は、前記雌部材内に押し込まれた雄部材を当該雌部材内から突き出させる向きに付勢させるものであれば良く、例えば、前記雄部材の差し入れ部と雌部材の底との間に介装された圧縮コイルバネや、雄部材の差し入れ部あるいは雌部材の底部に設けられ、かつ、雄部材の押し込みにより弾性変形され、弾性復帰により当該雄部材を前記突き出させる向きに付勢させる弾性片などにより、かかる付勢手段を構成することができる。
【００１１】
また、この発明にあっては、前記インサート体部分の外面部の全部又は一部に、このインサート体部分をインサートして、前記ゴム又はプラスチック材料よりなる表面成形部分が形成してあるので、インサート体部分の外面部と表面成形部分との一体性を高く確保することができ、紐留め具の使用にあたりかかる表面成形部分がインサート体部分と分離してしまう事態を生じさせることが少ない。すなわち、この発明にかかる紐留め具によれば、インサート体部分の外面部の手触り感や、意匠的特性などを向上させる加工を容易かつ確実になすことができる。
【００１２】
前記表面成形部分を、ゴム若しくはゴム状弾性を有するプラスチック材料により構成すれば、インサート体部分に所要の剛性、特に、前記のように差し通された紐を前記各通し穴の穴縁部で十分に挟み付け可能な固さをかかる穴縁部に持たせた状態で、紐留め具の操作などにあたり指などが触れる紐留め具の外部面の手触り感をソフトなものとすることができる。
【００１３】
また、前記表面成形部分を、透光性を有するプラスチック材料により構成すれば、紐留め具に表面成形部分の輪郭と、この表面成形部分を通じて視認される前記インサート体部分の輪郭との二つの輪郭を持たせることができると共に、インサート体部分の色彩に深みを出させて紐留め具全体の質感を向上させることができ、紐留め具の意匠的効果を高めさせることが可能となる。かかるプラスチック材料の透光性を調整することにより、あるいはまた、有色透明とすることにより、様々な意匠的効果を紐留め具に付与することができる。さらには、かかる透光性を有するプラスチック材料をゴム状弾性を有するものとすることにより、こうした透光性に基づく意匠的効果と前記手触り感をソフトなものとする効果との双方を紐留め具に付与することができる。
【００１４】
また、前記表面成形部分を、透光性を有するプラスチック材料により構成した場合には、インサート体部分の外面部に設けた溝や、凹部、突部さらには、かかる外面部に印刷などして施した文字、図形などの模様などの表示体を表面成形部分を通じて視認できるようにして、紐留め具の意匠的効果を高めることができると共に、これらの表示体を前記表面成形部分により覆っておくことにより、紐留め具の外面部を平坦に保った状態で、すなわち、紐留め具の使用にあたり前記溝、凹部、突部などが指などに当たって使用感を損なうことがないようにした状態で、紐留め具を構成することができる。
【００１５】
また、前記インサート体部分の外面部に印刷などにより施され、表面成形部分を通じて視認される模様が、かかる紐留め具の使用にあたりかすんだり、消え落ちたりしないようにすることができ、所期の意匠的効果を経時的に紐留め具に付与し続けることができる。
【００１６】
また、前記表面成形部分は、前記インサート体部分の外面部の全部に設けても、一部に設けても良い。例えば、前記表面成形部分の外郭形状が種々の図形などの輪郭形状をなすように、この表面成形部分をインサート体部分の外面部の一部に設けることができる。また、例えば、前記表面成形部分により囲まれた、当該表面成形部分の設けられていないインサート体部分の外面部の輪郭形状が、種々の図形などの輪郭形状をなすように、この表面成形部分をインサート体部分の外面部の一部に設けることができる。また、インサート体部分の外面部における角部をのみを覆うように、この表面成形部分をインサート体部分の外面部の一部に設けることができる。
【００１７】
インサート体部分は、プラスチック材料、金属材料、セラミック材料など、表面成形部分の成形にあたり成形型内にインサートとすることができる種々の材料で構成することができる。インサート体部分は、プラスチック材料、金属材料などの加熱溶融可能な材料を用いる場合には射出成形や、鋳込み成形、ダイカスト成形などにより、構成することができる。また、インサート体部分および表面成形部分の双方をプラスチック材料により構成する場合には、インサート体部分を構成するプラスチック材料の溶融温度を表面成形部分を構成するプラスチック材料の溶融温度よりも高く設定しておくことにより、インサート体部分の溶融、変形などを招くことなく表面成形部分の成形をなすことができる。
【００１８】
また、請求項２記載の発明にあっては、請求項１記載の発明にかかる紐留め具がさらに、インサート体部分の外面部に突部が形成してあると共に、この突部の突き出し端面と表面成形部分の表面とが略同面をなすように、当該外面部に当該表面成形部分が形成してある構成を備えたものとした。
【００１９】
かかる構成によれば、前記突部の突き出し端面を巡る当該突部の縁により、紐留め具の外面部に紐留め具の使用にあたり消え落ちたりすることのない模様を形成させることができ、また、インサート体部分の色彩と表面成形部分との色彩とを異ならせておくことにより、かかる模様を目立たせるなどすることができ、かかる紐留め具の意匠的効果を高めることができる。また、かかる突部の突き出し端面と前記表面成形部分の表面とを略同面としてあることから、紐留め具の使用にあたっての使用感を損なわないようにすることができる。
【００２０】
【発明の実施の形態】
以下、この発明の典型的な実施の形態について、説明する。
【００２１】
（第一の実施の形態）
先ず、図１ないし図２０に示される実施の形態について説明する。
【００２２】
なお、ここで図１は、この実施の形態にかかる紐留め具Ｔ１の構成を理解し易いように、紐Ｗに対して留め付けをなした状態にある当該紐留め具Ｔ１を縦断面の状態にして示している。また、図２は、図１の状態にある紐留め具Ｔ１を図１と９０度異なる向きから、縦断面の状態として示している。（同図において紐Ｗは省略している。）
【００２３】
図３ないし図１０は、インサート体部分Ｆの構成を理解し易いように、このインサート体部分Ｆにかかる雄部材２０または雌部材１０をそれぞれ表している。より詳細には、図３は、かかる雄部材２０を側方から一部を断面にした状態で、図４は、かかる雌部材１０を側方から一部を断面にした状態で、図５は、かかる雌部材１０を開口１１側から見た状態で、図６は、かかる雌部材１０を図４と９０度異なる向きの側方から一部を断面にした状態で、図７は、かかる雌部材１０を底側から見た状態で、また、図８は、かかる雄部材２０を頭部２２側から見た状態で、図９は、かかる雄部材２０を図３と９０度異なる向きの側方から一部を断面にした状態で、さらに、図１０は、かかる雄部材２０を前記頭部２２と反対の側から見た状態で、それぞれ示している。
【００２４】
図１１ないし図１８は、前記インサート体部分Ｆの外面部に表面成形部分Ｓを形成させた状態を理解し易いように、この表面成形部分Ｓの形成された雄部材２０または雌部材１０をそれぞれ表している。より詳細には、図１１は、かかる雄部材２０を側方から一部を断面にした状態で、図１２は、かかる雌部材１０を側方から一部を断面にした状態で、図１３は、かかる雌部材１０を開口１１側から見た状態で、図１４は、かかる雌部材１０を図１２と９０度異なる向きの側方から一部を断面にした状態で、図１５は、かかる雌部材１０を底側から見た状態で、また、図１６は、かかる雄部材２０を頭部２２側から見た状態で、図１７は、かかる雄部材２０を図１１と９０度異なる向きの側方から一部を断面にした状態で、さらに、図１８は、かかる雄部材２０を前記頭部２２と反対の側から見た状態で、それぞれ示している。
【００２５】
さらに、図１９は、前記表面成形部分Ｓをゴム又はゴム状弾性を有するプラスチック材料により構成した紐留め具Ｔ１の例を、また、図２０は、前記表面成形部分Ｓを透光性を有するプラスチック材料により構成した紐留め具Ｔ１の例を、それぞれ斜視の状態として示している。
【００２６】
この実施の形態にかかる紐留め具Ｔ１は、一方の筒端が塞がれた略円筒状をなす雌部材１０と、この筒状をなす雌部材１０内に移動可能に差し入れられる略円柱状をなす差し入れ部２１を有する雄部材２０とを備えている。
【００２７】
雄部材２０は、前記差し入れ部２１の一端部に、当該差し入れ部２１の軸線に略直交する向きに板面を配する円板状をなす頭部２２を有する。そして、かかる雄部材２０は、前記雌部材１０の開口１１、すなわち、塞がれていない他方の筒端側から当該雌部材１０内に、前記頭部２２と反対の側から前記差し入れ部２１を移動可能に差し入れた構成としてある。
【００２８】
雌部材１０における前記開口１１と、この開口１１と反対の側にある当該雌部材１０の一方の筒端を塞ぐ底板１２との間にある当該雌部材１０の側部には、当該雌部材１０の筒軸を挟んだ対称位置に略同寸、同形の紐Ｗの通し穴１３が設けてある。また、雄部材２０における差し入れ部２１には、当該差し入れ部２１の軸線に略直交する向きに、紐Ｗの通し穴２３が設けてあり、この通し穴２３はかかる差し入れ部２１の直径方向両側で開口されている。この実施の形態にあっては、雄部材２０の通し穴２３の穴径および穴形状が、雌部材１０の通し穴１３と略同一となるように構成してある。
【００２９】
また、かかる紐留め具Ｔ１は、前記雄部材２０を前記雌部材１０内から突き出させる向きに付勢する付勢手段３０を有している。この実施の形態にあっては、前記雄部材２０の前記頭部２２と反対の側と雌部材１０の前記底板１２内面との間に、圧縮コイルバネ３１を収め入れて、雄部材２０が前記の付勢を蒙るようにしてある。なお、この実施の形態にあっては、前記雄部材２０の差し入れ部２１に、この差し入れ部２１における前記頭部２２と反対の側にある端部面において開口し、前記頭部２２側に向けて続く前記バネ３１を一端側から収め入れる収め入れ穴２４が設けてあると共に、前記雌部材１０の底板１２内面にかかるバネ３１の他端側が巻回状態に嵌め付けられる突部１４が設けてある。
【００３０】
そして、この実施の形態にあっては、前記雄部材２０の頭部２２の下面が雌部材１０の開口１１縁部に突き当たる当該雄部材２０の最大押し込み位置で、雌部材１０の通し穴１３と雄部材２０の通し穴２３とが略ズレなく連通され、かかる通し穴１３、２３の穴径と略同じ太さの紐Ｗをこのように連通される各通し穴１３、２３に対し差し通すことができるようにしてある。また、かかる最大押し込み位置において、少なくとも前記バネ３１は圧縮変形され、雄部材２０を雌部材１０内から突き出させる向きへの付勢力が蓄えられる構成としてある。
【００３１】
この結果、この実施の形態にあっては、前記最大押し込み位置で前記各通し穴１３、２３に紐Ｗを差し通した後、前記雄部材２０の押し込みを解くことにより、当該雄部材２０を前記バネ３１の付勢により突き出し方向に移動させることができ、この雄部材２０の突き出し方向への移動により当該雄部材２０の通し穴２３と雌部材１０の通し穴１３との穴縁にズレを生じさせて、かかる各通し穴１３、２３の穴縁部で差し通された紐Ｗを挟みつけることができる。この挟み付けにより、かかる紐Ｗに紐留め具Ｔ１が留め付けられる。（図１）また、かかる留め付け状態から再度雄部材２０の前記頭部２２の上面を押圧して前記最大押し込み位置に向けて雄部材２０を移動させることにより、かかる紐Ｗに対する留め付けを解くことができる。
【００３２】
かかる紐留め具Ｔ１は、このような機能を有することから、前記留め付けと当該留め付けの解除とにより、前記紐Ｗに対する紐留め具Ｔ１の留め付け位置を適宜変化させることができ、例えば、各種の衣服の開口部あるいは開放部を巡る絞り紐などにかかる紐留め具Ｔ１を留め付けた場合、かかる絞り紐などへの前記留め付け位置を変えることによりかかる開口部などを巡る絞り紐などの寸法を変化させて前記衣服の開口部などを拡げ、あるいは、狭めることでき、この拡げ、あるいは、狭めた状態を維持することが可能とされる。
【００３３】
なお、この実施の形態にあっては、前記雄部材２０の差し入れ部２１が、前記通し穴２３の開口が設けられている向きに対し直交する向きとなる位置に、当該差し入れ部２１の軸線に沿った溝２１ａを有すると共に、前記雌部材１０が、前記通し穴１３の設けられている向きに対し直交する向きとなる位置に、前記溝２１ａに収まる突条１５を有しており、この溝２１ａへの突条１５の収め入れにより前記雄部材２０の雌部材１０への差し入れの向きが、前記各通し穴１３、２３を連通可能とする向きに常時維持される構成としてある。また、雄部材２０の通し穴２３における前記頭部２２と反対の側にある穴縁には、雌部材１０への雄部材２０の差し入れ部２１の差し入れに当たり僅かに弾性変形してこの差し入れを許容し、雌部材１０の通し穴１３において弾性復帰して、前記バネ３１の付勢による雄部材２０の移動にあたり雌部材１０の通し穴１３における前記開口１１側の穴縁部に当接して雄部材２０のそれ以上の突き出し方向への移動を阻止する突起２１ｂが設けてある。
【００３４】
また、かかる紐留め具Ｔ１にあっては、前記雌部材１０と雄部材２０とが、インサート体部分Ｆと、このインサート体部分Ｆをインサートして、このインサート体部分Ｆの外面部Ｆａに形成される表面成形部分Ｓとを有している。
【００３５】
より詳細には、この実施の形態にあっては、かかる紐留め具Ｔ１の機能を発揮させるすべての構成を備えた雌部材１０および雄部材２０のインサート体部分Ｆをプラスチック材料、金属材料などを成形などして構成した後、（図３ないし図１０）このインサート体部分Ｆを、典型的には前記表面成形部分Ｓを射出成形する成形型内のインサートとして、以下の（１）〜（５）の箇所に前記表面成形部分Ｓを形成させている。（図１１ないし図１８）
【００３６】
（１）雌部材１０のインサート体部分Ｆにおける外面部Ｆａであって、当該雌部材１０の底板１２’外面側における後述する突部４０の突き出し端面４１を除く箇所
（２）雌部材１０のインサート体部分Ｆにおける外面部Ｆａであって、雌部材１０の側部外面
（３）雌部材１０のインサート体部分Ｆにおける外面部Ｆａであって、雌部材１０の開口１１縁部
（４）雄部材２０のインサート体部分Ｆにおける頭部２２’上面であって、当該雄部材２０の頭部２２’上面側における後述する突部４０の突き出し端面４１を除く箇所
（５）雄部材２０のインサート体部分Ｆにおける頭部２２’縁部および頭部２２’下面
【００３７】
また、この実施の形態にあっては、前記インサート体部分Ｆにかかる雌部材１０の底板１２’外面側と前記雄部材２０の頭部２２’外面側とに、前記インサート体部分Ｆにおいて横断面形状略星形をなす突部４０が設けてある。そして、この突部４０における前記突き出し端面４１を覆わないように、かかる雌部材１０の底板１２外面と雄部材２０の頭部２２外面とに前記表面成形部分Ｓが形成してある。この実施の形態にあっては、かかる表面成形部分Ｓの肉厚が前記突部４０の突き出し寸法と略等しくなるようにしてあり、かかる表面成形部分Ｓの表面Ｓａと前記突部４０の突き出し端面４１とが略同面となるようにしてある。この結果、この実施の形態にあっては、前記雌部材１０の底板１２外面と前記雄部材２０の頭部２２外面とに、前記表面成形部分Ｓにより覆われていない前記突部４０の突き出し端面４１により、星形の図形が表されている。インサート体部分Ｆの色彩と、表面成形部分Ｓとの色彩とを異ならせておけば、かかる図形を目立たせる意匠的効果を得ることができる。
【００３８】
また、前記表面成形部分Ｓを、ゴム若しくはゴム状弾性を有するプラスチック材料により構成すれば、表面部に柔軟性を備えた紐留め具Ｔ１を得ることができる。（図１９）
【００３９】
また、前記表面成形部分Ｓを、透光性を有するプラスチック材料により構成すれば、前記インサート体部分Ｆの輪郭を外部から視認できる意匠的特性を紐留め具Ｔ１に付与することができる。（図２０）
【００４０】
なお、前記インサート体部分Ｆおよび表面成形部分Ｓの双方をプラスチック材料により構成する場合には、インサート体部分Ｆを構成するプラスチック材料の溶融温度を表面成形部分Ｓを構成するプラスチック材料の溶融温度よりも高く設定しておくことにより、インサート体部分Ｆの溶融、変形などを招くことなく表面成形部分Ｓの成形をなすことができる。
【００４１】
（第二の実施の形態）
次いで、図２１および図２２に示される実施の形態について説明する。
【００４２】
なお、ここで図２１は、この実施の形態にかかる紐留め具Ｔ２の構成を理解し易いように、かかる紐留め具Ｔ２を縦断面の状態として、また、図２２は、斜視の状態として、それぞれ示している。
【００４３】
この実施の形態にあっては、紐留め具Ｔ２を構成するインサート体部分Ｆにかかる雌部材１０の底板１２’外面側と雄部材２０の頭部２２’上面側とに、前記第一の実施の形態と略同一の、横断面形状を略星形状とする突部４０を設けると共に、この突部４０の突き出し端面４１も覆った状態で表面成形部分Ｓをインサート体部分Ｆの外部面Ｆａに形成している。そして、かかる表面成形部分Ｓを透光性を有するプラスチック材料により構成している。
【００４４】
この結果、この実施の形態にかかる紐留め具Ｔ２にあっては、前記表面成形部分Ｓを通じて、前記インサート体部分Ｆに設けた前記突部４０を視認することができ、前記第一の実施の形態にかかる紐留め具Ｔ１と異なる意匠的効果を得ることができる。
【００４５】
なお、この第二の実施の形態にかかる紐留め具Ｔ２におけるその余の構成は、第一の実施の形態にかかる紐留め具Ｔ１と実質的に同一であるので、この実質的に同一の構成部分であって第二の実施の形態を示す前記各図に表れている部分については、同各図において第一の実施の形態を示す図１ないし図２０において用いた符号と同一の符号を付して、その説明を省略する。
【００４６】
（第三の実施の形態）
次いで、図２３および図２４に示される実施の形態について説明する。
【００４７】
なお、ここで図２３は、この実施の形態にかかる紐留め具Ｔ３の構成を理解し易いように、かかる紐留め具Ｔ３を縦断面の状態として、また、図２４は、斜視の状態として、それぞれ示している。
【００４８】
この実施の形態にあっては、紐留め具Ｔ３を構成するインサート体部分Ｆにかかる雌部材１０の底板１２’外面と雄部材２０の頭部２２’上面とに、文字、図形、記号などの表示部分５０、ここでは星形の図形を印刷などにより施してあると共に、この表示部分５０を覆った状態で表面成形部分Ｓをインサート体部分Ｆの外部面に形成している。そして、かかる表面成形部分Ｓを透光性を有するプラスチック材料により構成している。
【００４９】
この結果、この実施の形態にかかる紐留め具Ｔ３にあっては、前記表面成形部分Ｓを通じて、前記インサート体部分Ｆに設けた前記表示部分５０を視認することができ、前記第一の実施の形態および第二の実施の形態にかかる紐留め具Ｔ１、Ｔ２と異なる意匠的効果を得ることができる。
【００５０】
なお、この第三の実施の形態にかかる紐留め具Ｔ３におけるその余の構成は、第一の実施の形態にかかる紐留め具Ｔ１と実質的に同一であるので、この実質的に同一の構成部分であって第三の実施の形態を示す前記各図に表れている部分については、同各図において第一の実施の形態を示す図１ないし図２０において用いた符号と同一の符号を付して、その説明を省略する。
【００５１】
（第四の実施の形態）
次いで、図２５および図２６に示される実施の形態について説明する。
【００５２】
なお、ここで図２５は、この実施の形態にかかる紐留め具Ｔ４の構成を理解し易いように、かかる紐留め具Ｔ４を縦断面の状態として、また、図２６は、斜視の状態として、それぞれ示している。
【００５３】
この実施の形態にあっては、紐留め具Ｔ４を構成するインサート体部分Ｆにかかる雌部材１０の底板１２’外面と雄部材２０の頭部２２’上面とに、表面成形部分Ｓで覆われていない部分を形成している。そして、この実施の形態にあっては、かかる表面成形部分Ｓで覆われていない部分が、穴縁を星形の図形の外郭形状とする、当該表面成形部分Ｓに開設された穴状部６０として構成してある。
【００５４】
この結果、この実施の形態にかかる紐留め具Ｔ４にあっては、前記穴状部６０により、雄部材２０の頭部２２と雌部材１０の底板１２外面とに、前記穴状部６０によって星形の図形を表すことができ、前記第一の実施の形態ないし第三の実施の形態にかかる紐留め具Ｔ１〜Ｔ３と異なる意匠的効果を得ることができる。
【００５５】
なお、この第四の実施の形態にかかる紐留め具Ｔ４におけるその余の構成は、第一の実施の形態にかかる紐留め具Ｔ１と実質的に同一であるので、この実質的に同一の構成部分であって第四の実施の形態を示す前記各図に表れている部分については、同各図において第一の実施の形態を示す図１ないし図２０において用いた符号と同一の符号を付して、その説明を省略する。
【００５６】
（第五の実施の形態）
次いで、図２７および図２８に示される実施の形態について説明する。
【００５７】
なお、ここで図２７は、この実施の形態にかかる紐留め具Ｔ５の構成を理解し易いように、かかる紐留め具Ｔ５を縦断面の状態として、また、図２８は、斜視の状態として、それぞれ示している。
【００５８】
この実施の形態にあっては、紐留め具Ｔ５を構成するインサート体部分Ｆにかかる雌部材１０の底板１２’と側部とが接し合う箇所、すなわち、かかる雌部材１０における底側にある角部７０を巡るように、表面成形部分Ｓが設けてある。また、紐留め具Ｔ５を構成するインサート体部分Ｆにかかる雄部材２０の円板状をなす頭部２２’の上面と当該頭部２２’の厚さ方向に亙る側面とが接し合う箇所、すなわち、かかる雄部材２０の頭部２２’における上面側にある角部７０を巡るように、表面成形部分Ｓが設けてある。
【００５９】
この結果、この実施の形態にかかる紐留め具Ｔ５にあっては、前記角部７０を巡るように設けられた前記表面成形部分Ｓにより、前記第一の実施の形態ないし第四の実施の形態にかかる紐留め具Ｔ１〜Ｔ４と異なる意匠的効果を得ることができる。また、前記角部７０を巡る表面成形部分Ｓをゴム又はゴム状弾性を有するプラスチック材料により構成しておくことにより、この角部７０にクッション性を持たせて、紐留め具Ｔ５の操作にあたり操作者の指などへの紐留め具Ｔ５の当たりを柔らかくすると共に、紐留め具Ｔ５と他の物品などが衝突などした際における緩衝をなすことができる。
【００６０】
なお、この第五の実施の形態にかかる紐留め具Ｔ５におけるその余の構成は、第一の実施の形態にかかる紐留め具Ｔ１と実質的に同一であるので、この実質的に同一の構成部分であって第五の実施の形態を示す前記各図に表れている部分については、同各図において第一の実施の形態を示す図１ないし図２０において用いた符号と同一の符号を付して、その説明を省略する。
【００６１】
【発明の効果】
この発明にかかる紐留め具によれば、前記インサート体部分の外面部に、このインサート体部分をインサートして、前記ゴム又はプラスチック材料よりなる表面成形部分が形成してあるので、インサート体部分の外面部と表面成形部分との一体性を高く確保することができ、紐留め具の使用にあたりかかる表面成形部分がインサート体部分と分離してしまう事態を生じさせることが少なく、また、インサート体部分の外面部の手触り感や、意匠的特性などを向上させる加工を、かかる表面成形部分により、紐留め具の機能を損なうことなく、容易かつ確実になすことができる。
【図面の簡単な説明】
【図１】紐留め具Ｔ１の縦断面図
【図２】紐留め具Ｔ１の縦断面図
【図３】インサート体部分Ｆにかかる雄部材２０の要部破断側面図
【図４】インサート体部分Ｆにかかる雌部材１０の要部破断側面図
【図５】インサート体部分Ｆにかかる雌部材１０の平面図
【図６】インサート体部分Ｆにかかる雌部材１０の要部破断側面図
【図７】インサート体部分Ｆにかかる雌部材１０の底面図
【図８】インサート体部分Ｆにかかる雄部材２０の平面図
【図９】インサート体部分Ｆにかかる雄部材２０の要部破断側面図
【図１０】インサート体部分Ｆにかかる雄部材２０の底面図
【図１１】雄部材２０の要部破断側面図
【図１２】雌部材１０の要部破断側面図
【図１３】雌部材１０の平面図
【図１４】雌部材１０の要部破断側面図
【図１５】雌部材１０の底面図
【図１６】雄部材２０の平面図
【図１７】雄部材２０の要部破断側面図
【図１８】雄部材２０の底面図
【図１９】紐留め具Ｔ１の斜視図
【図２０】紐留め具Ｔ１の斜視図
【図２１】紐留め具Ｔ２の縦断面図（図２と同じ状態で紐Ｗを省略して示している。）
【図２２】紐留め具Ｔ２の斜視図
【図２３】紐留め具Ｔ３の縦断面図（図２と同じ状態で紐Ｗを省略して示している。）
【図２４】紐留め具Ｔ３の斜視図
【図２５】紐留め具Ｔ４の縦断面図（図２と同じ状態で紐Ｗを省略して示している。）
【図２６】紐留め具Ｔ４の斜視図
【図２７】紐留め具Ｔ５の縦断面図（図２と同じ状態で紐Ｗを省略して示している。）
【図２８】紐留め具Ｔ５の斜視図
【符号の説明】
Ｔ１  紐留め具
Ｔ２  紐留め具
Ｔ３  紐留め具
Ｔ４  紐留め具
Ｔ５  紐留め具
１０  雌部材
１３  通し穴
２０  雄部材
２１  差し入れ部
２３  通し穴
３０  付勢手段
Ｆ  インサート体部分
Ｆａ  外面部
Ｓ  表面成形部分
【図１】
0004162744.tif 000002
【図２】
0004162744.tif 000003
【図３】
0004162744.tif 000004
【図４】
0004162744.tif 000005
【図５】
0004162744.tif 000006
【図６】
0004162744.tif 000007
【図７】
0004162744.tif 000008
【図８】
0004162744.tif 000009
【図９】
0004162744.tif 000010
【図１０】
0004162744.tif 000011
【図１１】
0004162744.tif 000012
【図１２】
0004162744.tif 000013
【図１３】
0004162744.tif 000014
【図１４】
0004162744.tif 000015
【図１５】
0004162744.tif 000016
【図１６】
0004162744.tif 000017
【図１７】
0004162744.tif 000018
【図１８】
0004162744.tif 000019
【図１９】
0004162744.tif 000020
【図２０】
0004162744.tif 000021
【図２１】
0004162744.tif 000022
【図２２】
0004162744.tif 000023
【図２３】
0004162744.tif 000024
【図２４】
0004162744.tif 000025
【図２５】
0004162744.tif 000026
【図２６】
0004162744.tif 000027
【図２７】
0004162744.tif 000028
【図２８】
0004162744.tif 000029